(57)【要約】  本発明はフレキシブルディスプレー部が巻取及び巻出可能に収容される本体ハウジングと；前記本体ハウジングに装着されて、前記フレキシブルディスプレー部が開かれた状態を維持し、前記フレキシブルディスプレー部の巻出に連動して拡張可能な構造を有する長さ調整部材と；前記長さ調整部材の拡張された長さを固定する固定部材と；を含むことを特徴とするロールタイプのフレキシブルディスプレー装置を開示する。【選択図】図３
2013535706.tif 000002
【特許請求の範囲】
【請求項１】
ロールタイプのフレキシブルディスプレー装置において、
フレキシブルディスプレー部が巻取及び巻出可能に収容される本体ハウジングと；
前記本体ハウジングに連結されて、前記フレキシブルディスプレー部が開かれた状態を維持し、前記フレキシブルディスプレー部の巻出に連動して拡張可能な構造を有する長さ調整部材と；
前記長さ調整部材の拡張された長さを固定する固定部材と；を含むことを特徴とするロールタイプのフレキシブルディスプレー装置。
【請求項２】
前記長さ調整部材は折畳み可能なロッドアセンブリーを備えることを特徴とする請求項１に記載のロールタイプのフレキシブルディスプレー装置。
【請求項３】
前記ロッドアセンブリーは第１ヒンジを介して回動されて、「Ｘ」字状に交差するロッド対を備えることを特徴とする請求項２に記載のロールタイプのフレキシブルディスプレー装置。
【請求項４】
前記ロッドアセンブリーを構成するロッドは、長さの拡張が可能な多段パイプ構造を有することを特徴とする請求項３に記載のロールタイプのフレキシブルディスプレー装置。
【請求項５】
前記ロッドアセンブリーは、前記「Ｘ」字状に交差するロッド対が第２ヒンジを介して複数個が連鎖的に連結されたことを特徴とする請求項３に記載のロールタイプのフレキシブルディスプレー装置。
【請求項６】
前記ロッドアセンブリーは関節を介して回動されて、折畳み可能な「＞」字状のロッド対と、「＜」字状のロッド対が連結された構造を有することを特徴とする請求項２に記載のロールタイプのフレキシブルディスプレー装置。
【請求項７】
前記本体ハウジングには、前記長さ調整部材の両端に位置したロッド対の端部を前記フレキシブルディスプレー部の長さ調整と連動して、前記フレキシブルディスプレー部の幅方向へスライディングさせるためのガイド部を備えることを特徴とする請求項３〜６の何れか一項に記載のロールタイプのフレキシブルディスプレー装置。
【請求項８】
前記ガイド部には長手方向に延長されたガイドレールが設けられ、
前記ロッド対の端部には前記ガイドレールに沿ってスライディング可能に結合されるスライダーが備えられることを特徴とする請求項７に記載のロールタイプのフレキシブルディスプレー装置。
【請求項９】
前記固定部材は前記ガイドレールに対して前記スライダーを段階別で固定させることを特徴とする請求項８に記載のロールタイプのフレキシブルディスプレー装置。
【請求項１０】
前記固定部材は前記ロッドアセンブリーを構成するロッド対の回動時、所定クリックのストッピング機能を提供するストッパを備えることを特徴とする請求項７に記載のロールタイプのフレキシブルディスプレー装置。
【請求項１１】
前記本体ハウジングは前記長さ調整部材の両端にそれぞれ連結され、
前記長さ調整部材の両端に連結された本体ハウジングの中の何れか一つには前記フレキシブルディスプレー部が収容され、
他の一つには前記長さ調整部材を遮るためのスクリーン部材が巻取及び巻出可能に収容されることを特徴とする請求項１に記載のロールタイプのフレキシブルディスプレー装置。
【請求項１２】
前記スクリーン部材は布または合成樹脂素材の膜やフレキシブルディスプレーであることを特徴とする請求項１１に記載のロールタイプのフレキシブルディスプレー装置。
【発明の詳細な説明】
【技術分野】
【０００１】
本発明はフレキシブルディスプレー装置に関し、より詳しくは、長さ調整が可能なロールタイプのフレキシブルディスプレー装置に関する。
【背景技術】
【０００２】
ロールタイプのフレキシブルディスプレー装置は、フレキシブルディスプレーを本体ハウジング内に巻いて保管し、必要時には広げて用いることができる構造を有するもので、携帯が容易でありながらも画面サイズに比べて機器の嵩を小さく具現することができるという長所があって、次世代ディスプレーとして脚光を浴びている。
【０００３】
ロールタイプのフレキシブルディスプレー装置に係わる特許文献の例としては、大韓民国の登録特許第８１８１７０号、公開特許第２００９−００７６９９６号を挙げることができる。
【０００４】
登録特許第８１８１７０号は、個人携帯情報端末機の一側または両側に装着されるもので、個人携帯情報端末機に接続及び固定可能なディスプレー駆動部を含み、上記ディスプレー駆動部が固定台と、柔軟ディスプレーに巻くことができる支持軸の役割を果たす回転ケースと、弾性復元力を提供するコイルスプリングとを備えることを特徴とするロールタイプのフレキシブルディスプレー装置を開示している。
【０００５】
公開特許第２００９−００７６９９６号は、フレキシブルディスプレーがスティックの周りにラッピング（Ｗｒａｐｐｉｎｇ）されるように構成し、フレキシブルディスプレーを支持するヒンジ式フレームを採択したラップディスプレーシステムを開示している。
【０００６】
しかし、登録特許第８１８１７０号のような従来のロールタイプのフレキシブルディスプレー装置は、フレキシブルディスプレーが開かれた状態を維持するための固定手段が弱くて、使用が不便であり、特に、マルチタッチのような操作をすることが非常に難しいという短所がある。
【０００７】
公開特許第２００９−００７６９９６号のように、ヒンジ式フレームを利用してフレキシブルディスプレーを支持する方式は、大画面ディスプレーに適用しにくくて、広げようとする画面の長さを自由に調整することができないという問題がある。
【発明の概要】
【発明が解決しようとする課題】
【０００８】
本発明は上記のような問題点を考慮して創案されたもので、フレキシブルディスプレーの長さ調整が可能になるように、フレキシブルディスプレーの開かれた状態を段階別に固定することができる構造を有するロールタイプのフレキシブルディスプレー装置を提供することをその目的とする。
【０００９】
本発明の他の目的は、フレキシブルディスプレーの開かれた状態を固定する手段を遮ることができる構造を有するロールタイプのフレキシブルディスプレー装置を提供することをその目的とする。
【課題を解決するための手段】
【００１０】
上記の目的を達するために、本発明によるロールタイプのフレキシブルディスプレー装置は、フレキシブルディスプレー部が巻取及び巻出可能に収容される本体ハウジングと；上記本体ハウジングに連結されて、上記フレキシブルディスプレー部が開かれた状態を維持し、上記フレキシブルディスプレー部の巻出に連動して拡張可能な構造を有する長さ調整部材と；上記長さ調整部材の拡張された長さを固定する固定部材と；を含むことを特徴とする。
【００１１】
上記長さ調整部材は折畳み可能なロッドアセンブリーを備えることができる。
【００１２】
上記ロッドアセンブリーは第１ヒンジを介して「Ｘ」字状に交差するロッド対を備えることができる。
【００１３】
上記ロッドアセンブリーを構成するロッドは長さの拡張が可能な多段パイプ構造を有することができる。
【００１４】
上記ロッドアセンブリーは上記「Ｘ」字状に交差するロッド対が第２ヒンジを介して複数が連鎖的に連結された構造を有することができる。
【００１５】
代案として、上記ロッドアセンブリーは関節を介して回動されて折畳み可能な「＞」字状のロッド対と、「＜」字状のロッド対とが連結された構造を有することができる。
【００１６】
上記本体ハウジングには上記長さ調整部材の両端に位置したロッド対の端部を上記フレキシブルディスプレー部の長さ調整と連動して上記フレキシブルディスプレー部の幅方向へスライディングさせるためのガイド部を備えることができる。
【００１７】
上記ガイド部には長手方向に延長されたガイドレールが設けられ、上記ロッド対の端部には上記ガイドレールに沿ってスライディング可能に結合されるスライダーを備えることができる。
【００１８】
上記固定部材は上記ガイドレールに対して上記スライダーを段階別に固定させることが好ましい。
【００１９】
上記固定部材は上記ロッドアセンブリーを構成するロッド対の回動時、所定クリックのストッピング機能を提供するストッパを備えることが好ましい。
【００２０】
上記本体ハウジングは上記長さ調整部材の両端にそれぞれ連結され、上記長さ調整部材の両端に連結された本体ハウジングのうちの何れか一つには上記フレキシブルディスプレー部が収容され、他の一つには上記長さ調整部材を遮るためのスクリーン部材を巻取及び巻出可能に収容することができる。
【００２１】
上記スクリーン部材としては布または合成樹脂素材の膜やフレキシブルディスプレーを採用することができる。
【発明の効果】
【００２２】
本発明によれば、長さ調整部材によってフレキシブルディスプレーの開かれた状態を維持、固定することができるので、ロールタイプのフレキシブルディスプレー装置の使用上の便宜性を改善することができる。
【００２３】
本発明の他の側面によれば、フレキシブルディスプレーの開く長さを必要によって自在に調整及び固定することができる。
【００２４】
本発明のまた他の側面によれば、フレキシブルディスプレーが開かれるとともに、スクリーン部材によって長さ調整部材が遮られることによって、長さ調整部材を外部から保護することができる。ここで、スクリーン部材としてフレキシブルディスプレーが採用される場合には、長さ調整部材を遮ると同時に、両面フレキシブルディスプレー装置を具現することができる。
【００２５】
本明細書に添付される図面は本発明の好ましい実施例を例示するもので、後述される発明の詳細な説明とともに本発明の技術思想をより理解させる役割を果たすものである。従って、本発明はこのような図面に記載された事項によって限定して解釈してはならない。
【図面の簡単な説明】
【００２６】
【図１】本発明の好ましい実施例によるロールタイプのフレキシブルディスプレー装置の拡張前の構成図である。
【図２】本発明の好ましい実施例によるロールタイプのフレキシブルディスプレー装置の拡張後の構成図である。
【図３】本発明の好ましい実施例によるロールタイプのフレキシブルディスプレー装置の構成を示した背面図である。
【図４】図３における長さ調整部材の他の例を示した構成図である。
【図５】図３における長さ調整部材のまた他の例を示した構成図である。
【図６】図３におけるガイド部の構成を示した斜視図である。
【図７】本発明に具備される固定部材の作動前の断面図である。
【図８】本発明に具備される固定部材の作動後の断面図である。
【図９】本発明に具備される固定部材の他の構成を示した側面図である。
【図１０】本発明の好ましい実施例によるロールタイプのフレキシブルディスプレー装置に具備されたスクリーン部材の構成を示した平面図である。
【図１１】図１０の背面図である。
【発明を実施するための形態】
【００２７】
以下、添付された図面を参照して本発明の好ましい実施例を詳しく説明する。説明に先立ち、本明細書及び特許請求の範囲に用いられる用語や単語は通常的または辞書的意味に限定して解釈してはならず、発明者はその自分の発明を最善の方法で説明するために用語の概念を適切に定義することができるという原則に即して、本発明の技術的思想に符合する意味と概念に解釈しなければならない。従って、本明細書に記載された実施例及び図面に示された構成は、本発明の最も好ましい一実施例に過ぎず、本発明の技術的思想を代弁するものではないため、本出願時点においてこれらを代替することができる多様な均等物と変形例があり得ることを理解すべきである。
【００２８】
図１は本発明の好ましい実施例によるロールタイプのフレキシブルディスプレー装置の拡張前の構成図であり、図２は本発明の好ましい実施例によるロールタイプのフレキシブルディスプレー装置の拡張後の構成図である。図面に示すように、本発明の好ましい実施例によるロールタイプのフレキシブルディスプレー装置は、フレキシブルディスプレー部１０２と、フレキシブルディスプレー部１０２を収容する本体ハウジング１００とを含む。
【００２９】
フレキシブルディスプレー部１０２は本体ハウジング１００内に巻取及び巻出可能に収容される。このために、本体ハウジング１００の内部にはフレキシブルディスプレー部１０２の一端と連結されて、フレキシブルディスプレー部１０２を丸く巻取するための所定のローラー（図示しない）と、フレキシブルディスプレー部１０２を巻出するように、上記ローラーが回転した時、復元力を提供するための所定の弾性手段（図示しない）とが備えられる。このような構成要素は通常のロールタイプのフレキシブルディスプレー装置において公知のものであるので、その詳細な説明は省略する。
【００３０】
フレキシブルディスプレー部１０２の他端に連結された本体ハウジング１０１は、フレキシブルディスプレー部１０２の巻出の時、これを引くための取っ手として用いられる。代案として、フレキシブルディスプレー部１０２の他端に連結された本体ハウジング１０１はフレキシブルディスプレー部１０２の半分を巻取及び巻出可能に収容するように構成することもできる。
【００３１】
図３は本発明の好ましい実施例によるロールタイプのフレキシブルディスプレー装置の構成を示した背面図である。図３に示したように、本発明の好ましい実施例によるロールタイプのフレキシブルディスプレー装置は、フレキシブルディスプレー部１０２の背面で両側の本体ハウジング１００、１０１に連結されて、フレキシブルディスプレー部１０２が開かれた状態を維持する長さ調整部材１０３と、長さ調整部材１０３の拡張された長さを選択的に固定するための固定部材とを含む。
【００３２】
長さ調整部材１０３はフレキシブルディスプレー部１０２の巻出に連動して拡張されるもので、折畳み（Ｆｏｌｄｉｎｇ）可能なロッドアセンブリーを備える。具体的に、ロッドアセンブリーは第１ヒンジ１０４を介して「Ｘ」字状に交差するロッド対が第２ヒンジ１０５を介して有機的、連鎖的に連結された構造を有する。
【００３３】
長さ調整部材１０３の拡張時には、「Ｘ」字状のロッド対は第１ヒンジ１０４と第２ヒンジ１０５を介して回動されて高さが低くなるので、長さ調整部材１０３の最外周に位置したロッド対の二つの端部（以下、端部）は互いに接近する方向に移動する。反対に、長さ調整部材１０３の縮小時には、「Ｘ」字状のロッド対は第１ヒンジ１０４と第２ヒンジ１０５を介して回動されて高さが高くなるので、長さ調整部材１０３の最外周に位置したロッド対の端部は相互離間する方向に移動する。
【００３４】
図４には長さ調整部材１０３に備えられるロッドアセンブリーの他の構成が示されている。図４によれば、ロッドアセンブリーは第１ヒンジ１０４を介して「Ｘ」字状に交差する単一のロッド対を備える。この場合、ロッドアセンブリーを構成するロッド１０６は長さの拡張が可能な多段パイプ構造を有することが好ましい。長さ調整部材１０３の拡張時には、「Ｘ」字状のロッド対は第１ヒンジ１０４を介して回動されて高さが低くなるとともに、それぞれのロッド１０６の多段パイプが長く開かれ、同時にロッド対の端部は互いに接近する方向に移動する。反対に長さ調整部材１０３の縮小時には、「Ｘ」字状のロッド対は第１ヒンジ１０４を介して回動されて高さが高くなるとともに、それぞれのロッド１０６の多段パイプが短く縮小され、同時にロッド対の端部は相互離間される方向に移動する。
【００３５】
図５には本発明に用いることができる長さ調整部材１０３の他の構成が示されている。図示したように、長さ調整部材１０３のロッドアセンブリーは、関節１０８を介して回動されて折畳み可能な「＞」字状のロッド対１０７と「＜」字状のロッド対１０９とが互いに反対方向に連結された構造を含むことができる。この場合、「＞」字状のロッド対１０７と「＜」字状のロッド対１０９は互いに独立的に折畳まれたり開かれる。長さ調整部材１０３の拡張時には、「＞」字状のロッド対１０７と「＜」字状のロッド対１０８は折畳まれ、同時に両方ロッド対１０７、１０９の端部は互いに接近する方向に移動する。反対に長さ調整部材１０３の縮小時には、「＞」字状のロッド対１０７と「＜」字状のロッド対１０９が開かれ、同時に両方ロッド対１０７、１０９の端部は互いに離間される方向に移動する。
【００３６】
長さ調整部材１０３の最外周に位置したロッド対の端部には、上記端部と一体に移動する所定形状のスライダー１１０が備えられ、本体ハウジング１００にはスライダー１１０をスライディング可能に収容するためのガイド部１００ａが設けられる。
【００３７】
図６に示すように、ガイド部１００ａはガイドレール１１１が形成された構造を有することが好ましい。ガイド部１００ａはフレキシブルディスプレー部１０２の長さ調整と連動して、スライダー１１０が本体ハウジング１００の長手方向、即ちフレキシブルディスプレー部１０２の幅方向へスライディングするようにガイドする。図３にはガイド部１００ａの側面外観が示されている。
【００３８】
図７にはガイド部１００ａに対してスライダー１１０を段階別に固定させるための固定部材の構成例が示されている。図７によれば、固定部材はガイド部１００ａの内部に収容され、長手方向に沿って所定間隔で係止突起１１２ａが形成された固定プレート１１２と、ガイド部１００ａの内部でスライダー１１０と一体に移動し、所定間隔で通孔１１３ａが形成された可動プレート１１３と、本体ハウジング１００の外部に一部が露出されるように設置されて、固定プレート１１２に対して可動プレートを選択的に結合させるボタン部１１４とを含む。
【００３９】
ボタン部１１４の未操作の時、図７に示すように、弾性体１１５の弾性力によって可動プレート１１３の通孔１１３ａに固定プレート１１２の係止突起１１２ａが挿入された状態を維持する。従って、スライダー１１０はガイド部１００ａの長手方向に移動できなくなり固定される。
【００４０】
ボタン部１１４の操作の時には、図８に示すように、ボタン部１１４に連動して固定プレート１１２から可動プレート１１３が離間されて係止突起１１２ａが通孔１１３ａから離脱される。従って、スライダー１１０はガイド部１００ａの長手方向へ自在に移動することができる。
【００４１】
図９には本発明に具備される固定部材の他の構成が示している。図９によれば、固定部材はロッドアセンブリーを構成するロッド対の回動時に所定クリック（Ｃｌｉｃｋ）ごとに段階別にストッピング機能を提供するストッパ１１７を備えることができる。ストッパ１１７は所定支持体１１６に所定間隔を隔てて円形に複数が配列され、回動するロッド１０６によって押された後弾性力によって復元される構造を有する。このようなストッパ１１７は所定の弾性体によって支持される突起構造を有することができ、代案としては、支持体と噛み合う鋸歯形態にて提供することもできる。
【００４２】
その他に、固定部材は上記本体ハウジング１００に装着されて、上記スライダー１１０を取って固定するやっとこ形態にて提供することができる。
【００４３】
図１０及び図１１には本発明の好ましい実施例によるロールタイプのフレキシブルディスプレー装置に付加されたスクリーン部材１１８の構成が示されている。
【００４４】
図１０及び図１１によれば、長さ調整部材１０３の両端に連結された一対の本体ハウジング１００、１０１の中の一方の本体ハウジング１００にはフレキシブルディスプレー部１０２が収容され、他方の本体ハウジング１０１にはスクリーン部材１１８が収容される。
【００４５】
スクリーン部材１１８はフレキシブルディスプレー部１０２の背面に露出された長さ調整部材１０３を遮るためのもので、好ましくは、布素材や合成樹脂素材の膜によって提供されることができる。代案として、スクリーン部材１１８は第２フレキシブルディスプレーによって形成することができる。この場合、長さ調整部材１０３を挟んで両面フレキシブルディスプレー装置として具現することができる。
【００４６】
スクリーン部材１１８はフレキシブルディスプレー部１０２と同じく、本体ハウジング１０１内に巻取及び巻出可能に収容されることが好ましい。このような構成によれば、フレキシブルディスプレー部１０２を開くために、二つの本体ハウジング１００、１０１を離間させることによってフレキシブルディスプレー部１０２が開かれ、同時に、スクリーン部材１１８によって長さ調整部材１０３が遮られることによって、長さ調整部材１０３が外部から保護されることができ、ディスプレー装置の見掛けにおいて有利な利点がある。
【００４７】
以上の通り、限定された実施例と図面によって本発明を説明したが、本発明はこれによって限定されるものではなく、本発明が属する技術分野における通常の知識を有する者によって本発明の技術思想と特許請求の範囲の均等な範囲内で多様な修正及び変形が可能であることは自明である。
【符号の説明】
【００４８】
１００、１０１  本体ハウジング
１０２  フレキシブルディスプレー部
１０３  長さ調整部材
１０４  第１ヒンジ
１０５  第２ヒンジ
１１０  スライダー
１１１  ガイド部
１１２  固定プレート
１１３  可動プレート
１１４  ボタン部
１１７  ストッパ
１１８  スクリーン部材
【実施形態】
【００４９】
以下、添付された図面を参照して本発明の好ましい実施例を詳しく説明する。説明に先立ち、本明細書及び特許請求の範囲に用いられる用語や単語は通常的または辞書的意味に限定して解釈してはならず、発明者はその自分の発明を最善の方法で説明するために用語の概念を適切に定義することができるという原則に即して、本発明の技術的思想に符合する意味と概念に解釈しなければならない。従って、本明細書に記載された実施例及び図面に示された構成は、本発明の最も好ましい一実施例に過ぎず、本発明の技術的思想を代弁するものではないため、本出願時点においてこれらを代替することができる多様な均等物と変形例があり得ることを理解すべきである。
【００５０】
図１は本発明の好ましい実施例によるロールタイプのフレキシブルディスプレー装置の巻出前の構成図であり、図２は本発明の好ましい実施例によるロールタイプのフレキシブルディスプレー装置の巻出後の構成図である。図面に示すように、本発明の好ましい実施例によるロールタイプのフレキシブルディスプレー装置は、フレキシブルディスプレー部１０２と、フレキシブルディスプレー部１０２を収容する本体ハウジング１００とを含む。
【００５１】
フレキシブルディスプレー部１０２は本体ハウジング１００内に巻取及び巻出可能に収容される。このために、本体ハウジング１００の内部にはフレキシブルディスプレー部１０２の一端と連結されて、フレキシブルディスプレー部１０２を丸く巻取するための所定のローラー（図示しない）と、フレキシブルディスプレー部１０２を巻出するように、上記ローラーが回転した時、復元力を提供するための所定の弾性手段（図示しない）が備えられる。このような構成要素は通常のロールタイプのフレキシブルディスプレー装置において公知のものであるので、その詳細な説明は省略する。
【００５２】
フレキシブルディスプレー部１０２の他端に連結された本体ハウジング１０１は、フレキシブルディスプレー部１０２の巻出の時、これを引くための取っ手として用いられる。代案として、フレキシブルディスプレー部１０２の他端に連結された本体ハウジング１０１はフレキシブルディスプレー部１０２の半分を巻取及び巻出可能に収容するように構成することもできる。
【００５３】
図３は本発明の好ましい実施例によるロールタイプのフレキシブルディスプレー装置の構成を示した背面図である。図３に示したように、本発明の好ましい実施例によるロールタイプのフレキシブルディスプレー装置は、フレキシブルディスプレー部１０２の背面で両側の本体ハウジング１００、１０１に連結されて、フレキシブルディスプレー部１０２が開かれた状態を維持する長さ調整部材１０３と、長さ調整部材１０３の拡張された長さを選択的に固定するための固定部材とを含む。
【００５４】
長さ調整部材１０３はフレキシブルディスプレー部１０２の巻出に連動して拡張されるもので、折畳み（Ｆｏｌｄｉｎｇ）可能なロッドアセンブリーを備える。具体的に、ロッドアセンブリーは第１ヒンジ１０４を介して「Ｘ」字状に交差するロッド対が第２ヒンジ１０５を介して有機的、連鎖的に連結された構造を有する。
【００５５】
長さ調整部材１０３の拡張時には、「Ｘ」字状のロッド対は第１ヒンジ１０４と第２ヒンジ１０５を介して回動されて高さが低くなるので、長さ調整部材１０３の最外周に位置したロッド対の二つの端部（以下、端部）は互いに接近する方向に移動する。反対に、長さ調整部材１０３の縮小時には、「Ｘ」字状のロッド対は第１ヒンジ１０４と第２ヒンジ１０５を介して回動されて高さが高くなるので、長さ調整部材１０３の最外周に位置したロッド対の端部は相互離間する方向に移動する。
【００５６】
図４には長さ調整部材１０３に備えられるロッドアセンブリーの他の構成が示されている。図４によれば、ロッドアセンブリーは第１ヒンジ１０４を介して「Ｘ」字状に交差する単一のロッド対を備える。この場合、ロッドアセンブリーを構成するロッド１０６は長さの拡張が可能な多段パイプ構造を有することが好ましい。長さ調整部材１０３の拡張時には、「Ｘ」字状のロッド対は第１ヒンジ１０４を介して回動されて高さが低くなるとともに、それぞれのロッド１０６の多段パイプが長く開かれ、同時にロッド対の端部は互いに接近する方向に移動する。反対に長さ調整部材１０３の縮小時には、「Ｘ」字状のロッド対は第１ヒンジ１０４を介して回動されて高さが高くなるとともに、それぞれのロッド１０６の多段パイプが短く縮小され、同時にロッド対の端部は相互離間する方向に移動する。
【００５７】
図５には本発明に用いることができる長さ調整部材１０３の他の構成が示されている。図示したように、長さ調整部材１０３のロッドアセンブリーは、関節１０８を介して回動されて折畳み可能な「＞」字状のロッド対１０７と「＜」字状のロッド対１０９とが互いに反対方向に連結された構造を含むことができる。この場合、「＞」字状のロッド対１０７と「＜」字状のロッド対１０９は互いに独立的に折畳まれたり開かれる。長さ調整部材１０３の拡張時には、「＞」字状のロッド対１０７と「＜」字状のロッド対１０８は折畳まれ、同時に両方ロッド対１０７、１０９の端部は互いに接近する方向に移動する。反対に長さ調整部材１０３の縮小時には、「＞」字状のロッド対１０７と「＜」字状のロッド対１０９が開かれ、同時に両方ロッド対１０７、１０９の端部は互いに離間される方向に移動する。
【００５８】
長さ調整部材１０３の最外周に位置したロッド対の端部には、上記端部と一体に移動する所定形状のスライダー１１０が備えられ、本体ハウジング１００にはスライダー１１０をスライディング可能に収容するためのガイド部１００ａが設けられる。
【００５９】
図６に示すように、ガイド部１００ａはガイドレール１１１が形成された構造を有することが好ましい。ガイド部１００ａはフレキシブルディスプレー部１０２の長さ調整と連動して、スライダー１１０が本体ハウジング１００の長手方向、即ちフレキシブルディスプレー部１０２の幅方向へスライディングするようにガイドする。図３にはガイド部１００ａの側面外観が示されている。
【００６０】
図７にはガイド部１００ａに対してスライダー１１０を段階別に固定させるための固定部材の構成例が示されている。図７によれば、固定部材はガイド部１００ａの内部に収容され、長手方向に沿って所定間隔で係止突起１１２ａが形成された固定プレート１１２と、ガイド部１００ａの内部でスライダー１１０と一体に移動し、所定間隔で通孔１１３ａが形成された可動プレート１１３と、本体ハウジング１００の外部に一部が露出されるように設置されて、固定プレート１１２に対して可動プレートを選択的に結合させるボタン部１１４とを含む。
【００６１】
ボタン部１１４の未操作の時、図７に示すように、弾性体１１５の弾性力によって可動プレート１１３の通孔１１３ａに固定プレート１１２の係止突起１１２ａが挿入された状態を維持する。従って、スライダー１１０はガイド部１００ａの長手方向に移動することができなくなり固定される。
【００６２】
ボタン部１１４の操作の時には、図８に示すように、ボタン部１１４に連動して固定プレート１１２から可動プレート１１３が離間されて係止突起１１２ａが通孔１１３ａから離脱される。従って、スライダー１１０はガイド部１００ａの長手方向へ自在に移動することができる。
【００６３】
図９には本発明に具備される固定部材の他の構成が示している。図９によれば、固定部材はロッドアセンブリーを構成するロッド対の回動時に所定クリック（Ｃｌｉｃｋ）ごとに段階別にストッピング機能を提供するストッパ１１７を備えることができる。ストッパ１１７は所定支持体１１６に所定間隔を隔てて円形に複数が配列され、回動するロッド１０６によって押された後弾性力によって復元される構造を有する。このようなストッパ１１７は所定の弾性体によって支持される突起構造を有することができ、代案としては、支持体と噛み合う鋸歯形態にて提供することもできる。
【００６４】
その他に、固定部材は上記本体ハウジング１００に装着されて、上記スライダー１１０を取って固定するやっとこ形態にて提供することができる。
【００６５】
図１０及び図１１には本発明の好ましい実施例によるロールタイプのフレキシブルディスプレー装置に付加されたスクリーン部材１１８の構成が示されている。
【００６６】
図１０及び図１１によれば、長さ調整部材１０３の両端に連結された一対の本体ハウジング１００、１０１の中の一方の本体ハウジング１００にはフレキシブルディスプレー部１０２が収容され、他方の本体ハウジング１０１にはスクリーン部材１１８が収容される。
【００６７】
スクリーン部材１１８はフレキシブルディスプレー部１０２の背面に露出された長さ調整部材１０３を遮るためのもので、好ましくは、布素材や合成樹脂素材の膜によって提供されることができる。代案として、スクリーン部材１１８は第２フレキシブルディスプレーによって形成することができる。この場合、長さ調整部材１０３を挟んで両面フレキシブルディスプレー装置として具現することができる。
【００６８】
スクリーン部材１１８はフレキシブルディスプレー部１０２と同じく、本体ハウジング１０１内に巻取及び巻出可能に収容されることが好ましい。このような構成によれば、フレキシブルディスプレー部１０２を開くために、二つの本体ハウジング１００、１０１を離間させることによってフレキシブルディスプレー部１０２が開かれ、同時に、スクリーン部材１１８によって長さ調整部材１０３が遮られることによって、長さ調整部材１０３が外部から保護されることができ、ディスプレー装置の見掛けにおいて有利な利点がある。
【００６９】
以上の通り、限定された実施例と図面によって本発明を説明したが、本発明はこれによって限定されるものではなく、本発明が属する技術分野における通常の知識を有する者によって本発明の技術思想と特許請求の範囲の均等な範囲内で多様な修正及び変形が可能であることは自明である。
【産業上の利用可能性】
【００７０】
本発明によれば、長さ調整部材によってフレキシブルディスプレーの開かれた状態を維持、固定することができるので、ロールタイプのフレキシブルディスプレー装置の移動環境等の多様な環境における使用上の便宜性を改善することができる。
【００７１】
本発明の他の側面によれば、フレキシブルディスプレーの開く長さを必要によって自在に調整及び固定することができるので、多様な大きさのディスプレーを簡便に変更することができるフレキシブルディスプレー装置を製造することができる。
【００７２】
本発明のまた他の側面によれば、フレキシブルディスプレーが開かれるとともに、スクリーン部材によって長さ調整部材が遮られることによって、長さ調整部材を外部から保護することができる。ここで、スクリーン部材としてフレキシブルディスプレーが採用される場合には、長さ調整部材を遮ると同時に、両面フレキシブルディスプレー装置を具現することができる。本発明は上述した特長の好ましい実施例に限定されないで、特許請求の範囲で請求する本発明の要旨を逸脱することなく、当該技術分野において通常の知識を有する者であれば多様な変形実施が可能であり、そのような変形は特許請求の範囲内に属するべきである。
【図１】
2013535706.tif 000003
【図２】
2013535706.tif 000004
【図３】
2013535706.tif 000005
【図４】
2013535706.tif 000006
【図５】
2013535706.tif 000007
【図６】
2013535706.tif 000008
【図７】
2013535706.tif 000009
【図８】
2013535706.tif 000010
【図９】
2013535706.tif 000011
【図１０】
2013535706.tif 000012
【図１１】
2013535706.tif 000013
【国際調査報告】
2013535706.tif 000014
2013535706.tif 000015
2013535706.tif 000016
2013535706.tif 000017